(57)【要約】ベルトアキュムレータ（１０，１１０）は少なくとも２つの直列ゾーン（１２，１１２）を有し、各直列ゾーンは、電動式ローラ（２０，１２０）と、少なくとも１つのアイドラローラ（２２，１２２）と、電動式ローラ及び少なくとも１つのアイドラローラの周囲に巻き掛けられた連続的なベルト（１８，１１８）とを有している。ベルトは、長さ方向で少なくとも０．７５％だけ伸長させられてよい。各ゾーンの電動式ローラは、各ゾーンにおける物品センサに応答して独立して働く。
2005517608.tif 000002
【特許請求の範囲】
【請求項１】
向き合った側壁を有するベルトコンベヤにおいて、
前記向き合った側壁に沿って該側壁の間に位置決めされた電動式ローラ及び少なくとも１つのアイドラローラが設けられており、
前記電動式ローラ及び前記少なくとも１つのアイドラローラの周囲に巻き掛けられた連続的なベルトが設けられており、前記電動式ローラが、前記ベルトコンベヤに沿って物品を移動させるために前記ベルトを駆動するために働き、前記ベルトが低弾性特性を有しており、前記ベルトが、前記ローラの周囲に巻き掛けられる場合に最初に前記ベルトの長さ方向で少なくとも０．７５％だけ伸長させられることを特徴とする、ベルトコンベヤ。
【請求項２】
前記ベルトが、前記ローラの周囲に巻き掛けられる場合に最初に前記ベルトの長さ方向で少なくとも１％だけ伸長させられる、請求項１記載のベルトコンベヤ。
【請求項３】
前記ベルトが、前記ローラの周囲に巻き掛けられる場合に最初に前記ベルトの長さ方向で少なくとも１．５％だけ伸長させられる、請求項１記載のベルトコンベヤ。
【請求項４】
前記ベルトの前記低弾性特性が、前記ベルトに少なくとも２％伸長特性を提供する、請求項１記載のベルトコンベヤ。
【請求項５】
前記ベルトの前記低弾性特性が、前記ベルトに少なくとも４％伸長特性を提供する、請求項１記載のベルトコンベヤ。
【請求項６】
前記ベルトが、実質的に前記側壁の間隔に亘って延びた幅を有している、請求項１記載のベルトコンベヤ。
【請求項７】
前記ベルトが、前記電動式ローラ及び前記少なくとも１つのアイドラローラの周囲に巻き掛けられた複数のベルトストリップを含んでいる、請求項１記載のベルトコンベヤ。
【請求項８】
前記複数のベルトストリップが、前記電動式ローラ及び個々の端部ローラの周囲に巻き掛けられており、前記個々の端部ローラが、角度付けられた運搬区分を規定するために配置された複数の種々異なる長さのアイドラローラのそれぞれを含んでいる、請求項７記載のベルトコンベヤ。
【請求項９】
前記複数のベルトストリップの少なくとも幾つかが、前記複数のベルトストリップの少なくとも幾つかの前記電動式ローラと前記個々の端部ローラとの間に位置決めされた前記種々異なる長さのローラの少なくとも１つの別のものによって支持されている、請求項８記載のベルトコンベヤ。
【請求項１０】
前記電動式ローラの少なくとも１つと、前記個々の端部ローラの少なくとも幾つかとが、前記電動式ローラの少なくとも１つと、前記個々の端部ローラの少なくとも幾つかとにおいて前記複数のベルトストリップの軌道を規定するために働く複数の軌道規定装置を有している、請求項８記載のベルトコンベヤ。
【請求項１１】
前記軌道規定装置が、前記電動式ローラの前記少なくとも１つと、前記個々の端部ローラの少なくとも幾つかとの周囲に設けられたストリップ又はクラウンの少なくとも１つを含んでいる、請求項１０記載のベルトコンベヤ。
【請求項１２】
前記ベルトコンベヤが少なくとも２つの直列ゾーンを有しており、前記少なくとも２つの直列ゾーンのそれぞれが、電動式ローラと、少なくとも１つのアイドラローラと、前記電動式ローラ及び前記少なくとも１つのアイドラローラの周囲に巻き掛けられた連続的なベルトとを有する、請求項１記載のベルトコンベヤ。
【請求項１３】
前記少なくとも２つの直列ゾーンのそれぞれが、前記ゾーンのベルト上の物品を検出するために働く物品センサを有する、請求項１２記載のベルトコンベヤ。
【請求項１４】
前記物品センサに応答して前記電動式ローラを制御するために働く少なくとも１つの制御装置が設けられている、請求項１３記載のベルトコンベヤ。
【請求項１５】
前記少なくとも１つの制御装置が、前記ベルトコンベヤの前記ゾーンにおいて物品の蓄積を提供するために、前記物品センサに応答して前記電動式ローラを選択的に制御するために働く、請求項１４記載のベルトコンベヤ。
【請求項１６】
前記少なくとも１つの制御装置が、前記少なくとも２つの直列ゾーンの１つ又は２つ以上において物品の蓄積を提供するために、それぞれの前記少なくとも２つの直列ゾーンの前記電動式ローラを、他の直列ゾーンの他の電動式ローラから独立して制御するために働く、請求項１４記載のベルトコンベヤ。
【請求項１７】
前記コンベヤが、前記ベルト上に物品を蓄積するために働く、請求項１記載のベルトコンベヤ。
【請求項１８】
前記電動式ローラ又は前記少なくとも１つのアイドラローラの少なくとも１つが、前記ベルトの軌道を規定するための少なくとも１つのクラウンを有する、請求項１記載のベルトコンベヤ。
【請求項１９】
２つのローラの間に前記連続的なベルトを支持するために、前記電動式ローラ及び前記少なくとも１つのアイドラローラの２つの間に少なくとも１つのスライダプレートが設けられている、請求項１記載のベルトコンベヤ。
【請求項２０】
前記連続的なベルトを支持する複数の間隔を置いて配置された支持ローラが設けられている、請求項１記載のベルトコンベヤ。
【請求項２１】
前記電動式ローラが、該電動式ローラのシャフト部分に対して前記電動式ローラのローラ部分を経典させるために働く内部駆動モータを有する、請求項１記載のベルトコンベヤ。
【発明の詳細な説明】
【技術分野】
【０００１】
関連出願とのクロスリファレンス
本出願は、コッター（Cotter）他によって２００２年２月１１日に出願された米国特許仮出願第６０／３５６０４５号、及びコッターによって２００２年１１月７日に出願された第６０／４２４６２９号の優先権を主張する。
【０００２】
発明の分野
本発明は、概してコンベヤ、特にベルトコンベヤに関する。本発明は概して、コンベヤ又は搬送システムに対して角度を成して位置決めされていてこれによりコンベヤ又は搬送システムに物品を導入しかつそこから物品を排出する、角度付きコンベヤ区分にも関する。
【背景技術】
【０００３】
ローラコンベヤに沿ってローラのゾーンを提供することが知られており、それぞれのゾーンは、電動式ローラ及び複数のアイドラ若しくは自由回転ローラを有している。電動式ローラは通常、ゾーンにおいてそれぞれのローラを隣接するローラに結合する複数のローリングを介してアイドラローラを駆動するために働く。それぞれのゾーンは、物品を特定のゾーンに蓄積するために又は物品をローラコンベヤのゾーンに沿って概して連続的に搬送するために独立して働いてよい。しかしながら、このようなローラコンベヤは、ベルトコンベヤが望まれるような用途、例えば、ローラの間に落下するような小さな物品を搬送するため、又はその他の理由からベルトコンベヤが必要とされる又は望まれる用途には適していない。また、ローラと、ローラ上を搬送される物品との間の低い摩擦により、このようなローラは、ローラコンベヤの傾斜した若しくは下降した区分に沿った物品の蓄積を提供するのには適していない。
【０００４】
発明の概要
本発明は、コンベヤに沿って又はコンベヤのセグメント若しくはゾーンに沿って物品を連続的に搬送する及び／又は個々のセグメント若しくはゾーンに物品を蓄積するのに適していてかつ、傾斜部若しくは下降部における物品の蓄積を提供するベルトコンベヤを提供する。
【０００５】
本発明は、複数のセグメント若しくはゾーンを含むベルトコンベヤを提供し、それぞれのセグメント若しくはゾーンが、複数のローラの周囲を通過する連続的なベルトを有している。コンベヤのそれぞれのゾーンは、電動式ローラと少なくとも１つのアイドラローラとを有しており、ベルトコンベヤに沿って物品を移動させるために又はベルトコンベヤの１つ又は２つ以上のゾーンに物品を蓄積するために独立して働く。本発明は、ベルトコンベヤ若しくはローラコンベヤ等のコンベヤ又は搬送経路又はシステムに位置決め可能な角度付きベルトストリップローラコンベヤ区分をも提供し、これにより、物品を搬送システムに導入しかつ搬送システムから排出する。角度付きコンベヤ区分は、角度付きコンベヤ区分の角度付き係合端部を規定するように配置された複数の種々異なる長さのローラと、ローラ及び電動式ローラの周囲に巻き付けられた又は経路付け又は位置決めされた複数の種々異なる長さのベルトストリップとを有している。
【０００６】
本発明の態様によれば、ベルトコンベヤは、電動式ローラと、コンベヤの向き合った側壁に沿ってかつこれらの側壁の間に位置決めされた少なくとも１つのアイドラローラと、電動式ローラと１つ又は２つ以上のアイドラローラの周囲に巻き掛けられた連続的なベルトとを有している。電動式ローラは、ベルトコンベヤに沿って物品を移動させるためにローラの周囲でベルトを駆動するために働く。ベルトは低い弾性特性を有している。ベルトがローラの周囲に巻き掛けられる又は位置決めされるときにベルトの長さ方向でベルトに少なくとも約０．７５％の初期伸長が生じる。ベルトの低い弾性特性は、ベルトに約２％〜４％以上の伸長能力を提供する。
【０００７】
ベルトは、２つ以上のゾーンを有していてよく、これらのゾーンは、ベルトコンベヤに沿って１つ以上のゾーンにおいて物品を蓄積させるために独立して働く。それぞれのゾーンは物品センサを有しており、この物品センサは、個々のゾーンのベルト上の物品を検出するために動作し、これにより、それぞれのゾーンの電動式ローラは、センサ及びセグメント化されたベルトコンベヤの特定の用途に応じて働く。
【０００８】
選択的に、ベルトコンベヤは、傾斜部又は下降部において実施されてよく、傾斜部又は下降部に物品を蓄積するために働く。選択的に、ベルトコンベヤは、郵便仕分けアセンブリにおけるトレー・ハンドリングシステム又はトレー管理システムの導入部におけるトレー・デスタッキング装置に、積層されたトレーを供給するために働く。さらに、トレーラ又は同様のものにおいて物品を積載又は積み下ろしするための延長可能なローダ又はアンローダにおいてベルトコンベヤが実施されることも考えられる。明らかに、本発明の範囲に影響することなくベルトコンベヤは他の用途において実施されてよい。
【０００９】
本発明の別の態様によれば、ベルト蓄積装置は、向き合った側壁と、少なくとも２つの直列ゾーンとを有している。それぞれの直列ゾーンは、向き合った側壁に、これらの側壁の間に回転可能に取り付けられた電動式ローラ及び少なくとも１つのアイドラローラと、電動式ローラ及び少なくとも１つのアイドラローラとの周囲に巻き掛けられた連続的なベルトと、そのゾーンにおける物品を検出するために働く少なくとも１つの物品センサとを有している。それぞれの直列ゾーンの連続的なベルトは、低い弾性特性を有している。ベルトがローラに巻き掛けられるときベルトは最初に少なくとも０．７５％だけベルトの長さ方向に伸長させられる。ベルト蓄積装置は、個々のゾーンに沿って物品を搬送するためにベルトを駆動するために、それぞれのゾーンの電動式ローラを制御するために働く少なくとも１つの制御装置を有している。制御装置は、ベルト蓄積装置のゾーンにおける物品の蓄積を提供するために、物品センサに応答して、電動式ローラを選択的にかつ独立して制御するために働く。
【００１０】
本発明の別の態様によれば、ベルトコンベヤは、向き合った側壁と、向き合った側壁にこれらの側壁の間に回転可能に取り付けられた電動式ローラ及び少なくとも１つのアイドラローラと、電動式ローラ及び１つ又は複数のアイドラローラの周囲に巻き掛けられた連続的なベルトと、ベルト上の物品を検出するために働く少なくとも１つの物品センサとを有している。電動式ローラは、ローラの軸部分に対してローラのローラ部分を回転駆動するために働く内部モータを有している。電動式ローラは、物品をベルトコンベヤに沿って搬送するためにベルトを駆動するために働く。電動式ローラは、１つ又は複数の物品センサに応答して選択的に働く。
【００１１】
ベルトコンベヤは、少なくとも２つの直列ゾーンを有していてよい。それぞれの直列ゾーンの電動式ローラは、直列ゾーンの１つ又は２つ以上に物品の蓄積を提供するために、他の直列ゾーンの他の電動式ローラから独立して働く。ベルトコンベヤのゾーンにおいて物品の蓄積を提供するために、電動式ローラは、それぞれのゾーンにおける物品センサに応答して選択的にかつ独立して働く。
【００１２】
連続的なベルトは、ベルトに約１．５％以上の伸長特性を提供する低い弾性特性を有しており、また、ベルトに約２％又は４％以上の伸長特性を提供してよい。ベルトがローラの周囲に巻き掛けられる又は位置決めされるとき、ベルトは、ベルトの長さ方向で少なくとも約０．７５％の初期伸長を有する。
【００１３】
本発明の別の態様によれば、搬送経路から排出された物品を搬送経路から運び去るために、角度付けられたコンベヤ区分が主搬送経路に沿って位置決めされるように構成されている。角度付けられたコンベヤ区分は、搬送経路に対して角度を成して位置決め可能でありかつ、向き合った側壁と、角度付けられたフレーム部分とを有しており、このフレーム部分は、搬送経路の側部に隣接して位置決めするための角度付けられたコンベヤの角度付けられた係合縁部を規定している。角度付けられたコンベヤ区分は、電動式ローラ及び複数のアイドラローラを含む複数のローラをも含んでいる。アイドラローラの少なくとも幾つかは、他のローラとは異なる長さを有している。複数のベルトストリップは、幾つかのローラの周囲に巻き掛けられている。種々異なる長さのローラが、角度付けられたフレーム部分と側壁の一方とに取り付けられておりかつ、角度付けられた搬送面を規定するために、角度付けられたコンベヤに沿って、長さの長いものから短いものへ配置されている。ベルトストリップの少なくとも幾つかは、他のベルトストリップとは異なる長さを有しており、電動式ローラと、種々異なる長さのローラの種々異なるローラとの周囲に巻き掛けられている。ベルトストリップとローラとは、角度付けられた係合縁部が搬送経路に隣接して位置決め可能な状態で、角度付けられた搬送区分に沿って、ベルト搬送面を規定している。
【００１４】
電動式ローラは、角度付けられたフレーム部分とは反対側の角度付けられたコンベヤ区分の端部に位置決めされていてよい。電動式ローラ又は、その他のローラの１つ又は２つ以上は、電動式ローラ上の複数のベルトストリップを軌道規定するために働く複数の軌道規定装置を有していてよい。種々異なる長さのローラのうちの少なくとも幾つかは、種々異なる長さのローラ上の複数のベルトストリップの個々の１つを軌道規定するために働く、対応する軌道規定装置を有していてよい。軌道規定装置は、個々のローラを取り囲んだストリップ又はクラウンを有していてよい。
【００１５】
ベルトストリップは、低い弾性特性を有していてよく、ベルトストリップがローラの周囲に巻き掛けられた又は位置決めされた場合に長さ方向で少なくとも約０．７５％の初期伸長を有していてよい。ベルトストリップの低い弾性特性は、ベルトストリップに約２％〜４％以上の伸長能力を提供する。
【００１６】
したがって、本発明は、独立して働く複数のゾーン又はセグメントを有するベルトコンベヤを提供し、それぞれのゾーン又はセグメントは、電動式ローラによって駆動される連続的なコンベヤベルトを有している。ゾーンは、概して連続的に走行するベルトコンベヤとして一緒に動作するか又は、ゾーン制御及びフォトアイ又はセンサを備えた蓄積コンベヤとして個々に動作してよい。したがって、本発明は、ゾーン制御されたローラコンベヤと同様の形式で動作する、ゾーン制御されたベルトコンベヤを提供するが、それぞれのゾーンの電動式ローラにアイドラローラを結合する複数のＯリング又は同様のものを備えているのではなく、電動式ローラ及びアイドラローラの周囲に巻き掛けられたコンベヤベルトを備えている。したがって、本発明のベルトコンベヤは、傾斜部又は下降部上に物品を蓄積することができる。それぞれのゾーンの電動式ローラは、小さなベルト区分又はゾーンを制御又は駆動するだけなので、電動式ローラにおける荷重及び摩耗が最小限に抑制され、電動式ローラのためのより長い寿命を提供する。
【００１７】
本発明の角度付けられたコンベヤ区分は、運搬経路若しくは搬送経路に対して当接又は係合するために角度を成した実質的に連続的なベルト式の搬送面を提供する。角度付けられたコンベヤ区分は、電動式ローラを有しており、この電動式ローラは、コンベヤ区分の電動式ローラ及び種々異なる長さのローラの周囲に巻き掛けられた複数の種々異なる長さのベルトストリップを介して、角度付けられたコンベヤ区分の種々異なる長さのローラを駆動するために働く。したがって、本発明の角度付けられたコンベヤ区分は、ベルトを角度付けられた係合面又は縁部と整合させるために、角度付けられた区分の下方におけるベルトの特別なルート付けを必要としない、電動式の又は電動式ローラ及びベルト運搬面を提供する。
【００１８】
本発明のこれらの対象物、利点、目的及び特徴並びにその他の対象物、利点、目的及び特徴は、図面に関連した以下の説明を考慮することによって明らかになるであろう。
【００１９】
有利な実施形態の説明
図面及びこれらの図面に示された例示的な実施形態を今や具体的に参照すると、ベルトコンベヤ若しくはベルトアキュムレータ１０は、向き合った側壁若しくはサイドフレーム１４に沿ってこれらの間に位置決めされた１つ又は２つ以上のゾーン又はセグメント１２を有しており、物品を運搬方向Ａに運搬するために働く（図１及び図２）。それぞれのセグメント若しくはゾーン１２は、複数のローラ１６と、ローラ１６の周囲に経路付けられた又は巻き掛けられた連続的なベルト１８とを有している。それぞれのベルトを有するセグメント１２は、セグメント若しくはゾーンに物品を蓄積するために又は物品を方向Ａに次の隣接するセグメント若しくはゾーン又は、別のベルトコンベヤ、ローラコンベヤ、スライダベッド又は同様のもの等の別のコンベヤ、又はセグメント化されたベルトコンベヤ１０の最後のゾーン又はセグメントの排出端部から物品を受け取るためのあらゆる別の手段へ移動させるために、独立して働く。図１に最もよく占められているように、ベルト１８は、ローラの概して円筒状のローラ部分を実質的に被覆するのに十分に広く、ひいては、ローラコンベヤに沿って物品を運搬するために広い運搬面を提供するために、実質的に側壁１４の間に亘って延びていてよい。
【００２０】
各セグメント又はゾーン１２のローラ１６は、電動式ローラ２０と、１つ又は２つ以上の非電動化又はアイドラローラ２２とを有している。電動式ローラ２０は、ゾーンの先頭のローラであるか又は個々のセグメント１２に沿ってベルト１８（及びベルト上に支持された物品）を引っ張るように各セグメントの下流端部に位置決めされていてよい。電動式ローラ２０は、様々なソースから商業的に利用可能なタイプの電動式ローラ等の、ローラのシャフト部分に対してローラ部分を回転させるために働く内部モータを備えた自己駆動ローラを含んでいてよい。
【００２１】
例えば、ローラは、１２ボルトＤＣ電動式ローラ又は同様のもの等の、ＤＣ電動式ローラを含んでいてよい。選択的に、ローラは、２４ボルトＤＣ電動式ローラ又は４２ボルトＤＣ電動式ローラ又は４８ボルトＤＣ電動式ローラ又は同様のものを含んでいてよい。例えば、電動式ローラは、約５０ｍｍの直径と、５００ｍｍ〜９００ｍｍの全幅とを有する４８ボルトＤＣ電動式ローラ（又は２４ボルトＤＣ電動式ローラ）を含んでいてよい。４８ボルトＤＣ電動式ローラは、ＤＣブラシレスモータを含んでいてよく、約１３０ｒｐｍ〜１１５０ｒｐｍの速度で働き、約４００ｒｐｍにおけるトルクの約３Ｎｍと、約１１５０ｒｐｍにおけるトルクの約１，５Ｎｍの出力を提供してよい。本発明の範囲に影響することなく、電動式ローラは、その他のＤＣ電動式ローラを含むか又は、ＡＣ電動式ローラを含むことが考えられる。電動式ローラは、ローラを直接に駆動してよく、ギヤトレイン又は同様のものを介してローラを駆動してよい。
【００２２】
したがって、電動式ローラ２０は、ゾーン又はセグメント１２の周囲で案内及び支持するためにシャフト部分を中心にして自由に回転するアイドラローラ２２に沿って移動するベルト１８を駆動する。アイドラローラ２２は、様々なソースから商業的に利用可能なタイプ等の、慣用の自由に回転するローラ等の、あらゆるタイプのローラであってよい。それぞれのゾーン１２に沿って複数のアイドラローラを有するように示されているが、本発明のセグメント化されたベルトコンベヤの１つ又は２つ以上のゾーンは、本発明の範囲に影響することなく、ベルトをゾーン１２の端部の間に支持するために、電動式ローラ１０と、反対側の端部のアイドラローラ２２ａとの間に支持プレート又はスライダベッドとを有していてよい。
【００２３】
図３に示したように、端部アイドラローラ２２ａは、ローラコンベヤの作動中にベルト１８を軌道規定するのを助けるためにローラに沿って１つ又は２つ以上のクラウン又は突出部２２ｂを有していてよい。突出部２２ｂは、一般的に約５０ｍｍの直径を有するアイドラローラの概して円筒状の部分の直径よりも例えば約１〜４ｍｍだけ大きな直径を有する２つ又は３つの領域（又はローラの長さ及び特定の用途に応じてさらに多くの又はさらに少ない領域）等の、ローラ部分の１つ又は２つ以上の僅かにより大きな直径の領域を有していてよい。本発明の範囲に影響することなく、突出部又はクラウンは、ローラ部分の一部として形成されていてよいか、又はローラに沿って位置決めされた、成形されたポリウレタン部分又は同様のもの等の成形部分を含んでいてよい。
【００２４】
ベルト１８は低弾性ベルト１８を含んでいてよい。例示された実施形態において、ベルト１８は長さ方向で少なくとも約１．５％伸長以上の伸長能力又は特性を有している（また、約３〜５％伸長以上の伸長能力又は特性を有していてよい）。ベルト１８は、ローラの周囲に位置決めされた場合に長さ方向に約０．７５％以上の初期伸長を有しており、約１％又は１．５％の初期伸長を有するように初期的に伸長させられてよい。ベルト１８は、一般的に約１％以下の伸長特性しか提供せずかつ、慣用のベルトコンベヤのプーリの周囲に巻き掛けられた又は位置決めされた場合に一般的に約０．２５％〜０．５％の初期伸長を有する、慣用のコンベヤベルトよりも著しく大きな伸長量を提供する。低弾性ベルト１８は、ウレタン押出物又は、ポリエステル又はナイロン緊張部材が包囲されたウレタンから形成されているか、ゴム材料又は同様のものから形成されており、また、グラフィックアート及び郵便物仕分けにおいて使用するための、Nitta Corporation から商業的に利用可能なベルトのタイプと同様のものであってよい。ベルト１８の低弾性特性と、ベルト１０の約０．７５％以上の初期伸長とにより、ベルトコンベヤ１０の各ゾーン１２は、ベルト１９を適切なテンションに維持するために必要なテークアップ又は調整をほとんど又は全く行うことなく作動されることができる。しかしながら、本発明の範囲に影響することなく、このような調整はコンベヤ１０に提供されてよい。
【００２５】
各ゾーン又はセグメント１２は、個々のゾーンのベルト１８上の物品、パッケージ又は同様のものを検出するためのフォトアイ又はセンサ（図１及び図２には示されていない）を有していてもよい。ベルトコンベヤ１０は、さらに、図３及び図４のコンベヤ１１０に関して以下に詳細に説明するように、センサに応答して、セグメント化されたベルトコンベヤ１０の特定の用途に応じて、セグメント１２に物品を蓄積するために物品をセグメント１２に沿って移動させる及び／又は１つ又は複数の物品の移動一時的に停止させるように、個々のゾーンの電動式ローラ２０を独立して作動させるための制御装置を有していてよい。
【００２６】
したがって、セグメント化されたベルトコンベヤ１０は、コンベヤのセグメント又はゾーンの１つ又は２つ以上に物品を蓄積するために働く。選択的に、セグメント化されたベルトコンベヤは、傾斜部又は下降部において働いてよく、傾斜部又は下降部に物品を蓄積してよい。セグメント化されたコンベヤ１０は、物品が下流の装置又はシステムによって必要とされている場合に、例えば傾斜部に沿って上方へ物品を移動させるために働くことも考えられる。例えば、本発明のベルトコンベヤは、トレーハンドリングシステム又は同様のもののためのトレー・デスタッキング装置に、積層されたトレーを運搬及び供給してよい。トレー・デスタッキング装置は、積層されたトレーを受け取り、積層されたトレーから個々のトレーを分離して積み卸し、トレーハンドリングシステム又はトレーマネジメントシステム又は同様のもの、例えば郵便仕分けアセンブリにおけるトレーハンドリングシステムの導入部等へ、個々のトレーを排出するために働く。さらに、本発明のベルトコンベヤは、本発明の範囲に影響することなく、トレーラローダ又はアンローダ用途、例えば、トレーラに物品を積み込むか又はトレーラから物品を積み下ろすために運搬面を支持ベースから外方へトラックトレーラ又は同様のものの内部へ延長させるための延長可能なローダ又はアンローダにおいて使用されてよいことが考えられる。
【００２７】
図４及び図５を参照すると、ベルトコンベヤ又はベルトアキュムレータ１１０は、向き合った側壁又はサイドフレーム若しくはチャネル１１４に沿ってこれらの間に位置決めされた複数の直列のゾーン若しくはセグメント１１２を有しており、物品を各ゾーンに沿って運搬方向Ａに沿って運搬するために働く。各ゾーン１１２は、複数のローラ１１６と、ローラ１１６の周囲に経路付けられた又は巻き掛けられた連続的なベルト１１８とを有している。ベルトを有する各ゾーン１１２は、物品をゾーンに蓄積するために、又は物品を方向Ａに、次の隣接するゾーン又は別のコンベヤ、例えば、別のベルトコンベヤ、又はローラコンベヤ、スライダベッド又は同様のもの、又はベルトコンベヤ１１０の最後のゾーンの排出端部から物品を受け取るためのあらゆる別の手段へ移動させるために、独立して働く。
【００２８】
図４及び図５の例示された実施形態において、コンベヤ１１０は５つのゾーンを備えて示されており、各ゾーンは、電動式ローラ１２０と、ベルト１１８と、ゾーンの端部に位置決めされた製品センサ１２４とを有している。しかしながら、コンベヤ区分に沿った他ゾーンの数は、用途に応じて異なり、本発明の範囲に影響することなく変更されてよい。
【００２９】
前記のコンベヤ１０のローラ１６と同様に、各セグメント又はゾーン１１２のローラ１１６は、電動式ローラ１２０と、少なくとも１つの非電動式又はアイドラローラ１２２とを含んでいる。電動式ローラ１２０は、ゾーンの先頭のローラであるか又は、個々のゾーン１１２に沿ってベルト１１８（及びベルト上に支持された物品）を引っ張るように各セグメントの下流端部に位置決めされていてよい。前記電動式ローラ２０と同様に、電動式ローラ１２０は、１２ボルトＤＣ電動式ローラ、２４ボルト電動式ローラ、４２ボルト電動式ローラ、４８ボルト電動式ローラ、あらゆる電圧のＡＣ又はＤＣ電動式ローラ又は同様のもの等の様々なソースから商業的に利用可能なタイプの電送式ローラ等のローラのシャフト部分に対してローラ部分を回転させるために働く内部モータを備えた自己駆動ローラを含んでいてよい。したがって、電動式ローラ１２０は、個々のゾーン１１２の周囲をこのゾーンに沿ってベルト１１８を案内及び支持するためにシャフト部分を中心に自由に回転するアイドラローラ１２２に沿って移動する個々のベルト１１８を駆動する。アイドラローラ１２２は、慣用の自由に回転するローラ又は同様のもの、及び、図３に関して上述されたような、ベルトの軌道を規定するのを助けるための１つ又は２つ以上のクラウン又は突出部を有する、端部アイドラローラ等の１つ又は２つ以上のローラ、等のあらゆるタイプの非駆動式ローラを含んでいてよい。
【００３０】
各ゾーン１１２に沿って複数のアイドラローラを有するように示されているが、本発明によるベルトコンベヤ１１０′のゾーン１１２′（図６）又はベルトコンベヤ１１０″のゾーン１１２″（図７）は、選択的に、本発明の範囲に影響することなく、電動式ローラ１２０とアイドラローラ１２２との間又は、１対の間隔を置いたアイドラローラ１２２の間に図６のスライダベッド１２１′等の、又は電動式ローラ１２０と反対側の端部のアイドラローラ１２２又は同様のものとの間に図７のスライダベッド１２１″等のスライダベッドを、ゾーン１１２′のローラの間にベルト１１８を支持するために有している。１つ又は複数のスライダベッド１２１′，１２１″は、本発明の範囲を影響することなく、スライダベッドに沿って連続的なベルトの回転支持を提供することを目的として開口を部分的に上方へ貫くために、ゾーンの２つの連続するローラの間に位置決めされた分離プレートを有していてよいか、又はゾーンの中央のローラ等の少なくとも１つのローラのためのスロット又は開口を有するプレートを有していてよい。
【００３１】
前記のように、ベルト１１８は、長さ方向で約０．５％以上の初期伸長を提供する低弾性ベルトを含んでいてよい。典型的な実施形態において、ベルトは、長さ方向で少なくとも約１．５％〜５％以上の伸長能力又は特性を提供してよい。典型的な実施形態において、ベルトがコンベヤのローラの周囲に巻き掛けられかつ位置決めされる場合に約１．５％の初期伸長を有するように伸長させられてよい。低弾性ベルト１１８は、ウレタン押出物又は、ポリエステル又は内オンテンション部材が収容されたウレタンから形成されていてよいか、又はゴム材料又は同様のものを含んでいてよく、また、グラフィックアート及び郵便物仕分けにおいて使用するための、Nitta Corporationから商業的に利用可能なタイプのベルトと同様のものであってよい。ベルト１１８の初期伸長及び低弾性特性により、ベルトコンベヤ１１０の各ゾーン１１２は、ベルト１１８における適切なテンションを維持するために必要なテークアップ又は調整をほとんど又は全く行わずに作動されることができる。しかしながら、本発明の範囲に影響することなく、このようなテークアップ又は調整がベルトコンベヤ１１０に提供されてよい。
【００３２】
コンベヤ１１０の各ゾーン若しくはセグメント１１２は、個々のゾーンのベルト１１８上の物品若しくはパッケージ又は同様のものを検出及び／又は監視するためのフォトアイ若しくは物品センサ１２４を有している。ベルトコンベヤ１１０はさらに、物品をゾーン１１２に沿って移動させるために及び／又は物品をゾーン１１２に蓄積させることを目的として１つ又は複数の物品の移動を一時的に停止させるためにセンサ１２４に応答して、セグメント化されたベルトコンベヤ１１２の特定の用途に応じて、個々のゾーン１１２の電動式ローラ１２０を独立して作動させるための制御装置１２６を有している。
【００３３】
例示された実施形態において、制御装置１２６は各ゾーン１１２においてモータ制御装置１２６ａを有しており、このモータ制御装置１２６ａは、各センサ１２４と、他のゾーンの他のモータ制御装置１２６ａに接続されている。したがって、モータ制御装置１２６ａは、以下に説明するように、各ゾーンの電動式ローラの独立した、同期化された又は対応する制御を提供するために互いに通信している。モータ制御装置１２６ａは、センサ１２４及びモータ制御装置１２６ａに電力を提供するために電源（図示せず）に接続されている。制御装置及びフォトアイは、ベルトコンベヤのゾーンに物品を蓄積するために働いてよく、例えば蓄積論理及び／又は回路及び同様のものを使用することによって、少なくとも幾つかの作動を個々に制御するために働いてよい。
【００３４】
例示された実施形態において、各物品センサ１２４は、個々のゾーン１１２の下流端部に位置決めされたフォトセンサを有しており、このフォトセンサは、物品が１つのゾーンの下流端部から隣接するゾーンの上流端部へ移動する場合にこの製品若しくは物品を検出するために作動する。特定のゾーンの電動式若しくは被駆動ローラ１２０は、対応する物品センサ１２４に応答して、又はコンベヤに沿って位置決めされた物品センサのうちの２つ以上に応答して制御装置１２６によって選択的に作動又は作動停止させられ、これにより、以下に説明するように、個々のゾーンにおける１つ又は複数の物品を移動又は停止させる。したがって、電動式ローラ１２０は、物品センサ１２４の１つ又は２つ以上に応答して、関連するコンベヤゾーンにおける１つ又は２つ以上の物品を選択的かつ独立して運搬又は蓄積するために直接に駆動されかつ働く。
【００３５】
例えば、電動式ローラは“スリープモード”で働いてよいことが考えられる。このような作動モードにおいて、制御装置１２６は、ゾーンの最初（又は直前の上流のゾーンの端部）において検出された物品に応答して特定のゾーンの電動式ローラを作動させてよく、物品が次の若しくは下流のゾーンへ移動させられた後に電動式ローラを作動停止させ、これにより、特定のゾーンの電動式ローラは、物品がゾーンのある場合及び物品がコンベヤのゾーンに沿って運搬される場合にのみ作動させられる。下流のゾーンが作動されていないならば、特定のゾーンの電動式ローラは、検出された１つ又は複数の物品をコンベヤのその特定のゾーンに蓄積するように作動停止される。したがって、このようなスリープモード動作は、運搬される物品が特定のゾーンにある場合にのみゾーンの電動式ローラを作動させるので、電動式ローラの作動を減じ、ローラの寿命を長くする。
【００３６】
本発明のベルトコンベヤの連続的なベルト、特に低弾性ベルトは、慣用のローラコンベヤのローラによって提供される摩擦よりも、ベルトの運搬面若しくは搬送面と、ベルトに沿って運搬されている製品との間の摩擦係数を高めてよい。ベルト上での物品の滑りに対する摩擦抵抗がより大きいことにより、本発明のベルトコンベヤは、製品をゾーンに沿って滑らせることなしに、ローラコンベヤよりも高い速度で作動することができる。摩擦抵抗がより大きいことにより、ベルトコンベヤが個々に各ゾーンに沿って物品を移動及び蓄積しかつ傾斜ゾーン又は下降ゾーンにおいて物品を移動及び蓄積する能力をも高める。
【００３７】
したがって、本発明のベルトコンベヤは、物品をコンベヤのセグメント若しくはゾーンの１つ又は２つ以上に蓄積するために働く。選択的に、ベルトコンベヤは、傾斜部又は下降部において働き、物品を傾斜部又は下降部に蓄積してよい。本発明のベルトコンベヤは、下流の装置又はシステムによって物品が必要とされる場合に、物品を例えば下降部に沿って上方へ移動させるように働いてよい。
【００３８】
したがって、本発明のセグメント化又はゾーン化されたベルトコンベヤは、複数の独立して働くゾーン若しくはセグメントを提供し、これらのゾーン若しくはセグメントは、概して連続的に走行するベルトコンベヤとして一緒に作動するか又はゾーン制御装置及びフォトアイを備えた蓄積コンベヤとして個々に作動してよい。したがって、本発明は、ゾーン制御されるベルトコンベヤを提供し、このベルトコンベヤは、ゾーン制御されるローラコンベヤと同様の形式で作動してよいが、アイドラローラを各ゾーンの電動式ローラに接続する多数のＯリング又は同様のものではなく、ローラの周囲の連続的なベルトを備えている。したがって、本発明のセグメント化されたベルトコンベヤは、傾斜部又は下降部に物品を蓄積することができる。各ゾーンの電動式ローラは小さなベルト区分しか制御又は駆動しないので、電動式ローラにおける荷重及び摩耗が最小限に抑制され、電動式ローラのより長い寿命を提供する。
【００３９】
今や図８〜図１１を参照すると、仕分け及び／又は運搬システム２１０は、主コンベヤ又は搬送経路２１２（図８に破線で示されている）と、主コンベヤ２１２に対して角度を成して位置決めされておりかつ物品を搬送経路２１２から運搬及び排出するために働く少なくとも１つの角度付けられた排出コンベヤ区分２１４とを有している。角度付けられたコンベヤ区分２１４は、第１の側壁２１６と、第２の側壁２１８と、第１の側壁２１６の端部２１６ａと第２の側壁２１８の端部２１８ａとの間に位置決めされた角度付けられたフレーム部分２２０とを有している。第１の側壁２１６は、複数のローラ２２２のシャフト端部を収容するか又は取付け、角度付けられたフレーム部分２２０と第２の側壁２１８とは、以下に説明するように、ローラ２２２の反対側のシャフト端部を収容するか又は取り付ける。角度付けられたコンベヤ区分２１４は、角度付けられた搬送面を搬送経路２１２の側部に提供するために、角度付けられた係合縁部をフレーム部分２２０に沿って提供する。
【００４０】
仕分けシステム２１０は、複数の仕分けキャリッジ（図示せず）を有していてよく、これらの仕分けキャリッジは、搬送経路２１２に沿って可動でありかつ、物品及びキャリッジが搬送経路２１２に沿って搬送及び移動される場合に物品を角度付けられたコンベヤ区分２１４へ排出するために働く。仕分けキャリッジは、本発明の範囲に影響することなく、傾斜トレー、クロスベルトソータ、二重幅クロスベルトソータ又は同様のもの等のあらゆる公知の仕分けキャリッジを含んでいてよい。択一的に、搬送経路２１２は、本発明の範囲に影響することなく、角度付けられた排出コンベヤ区分上へ運搬面に沿って運搬されている物品を案内するか又は逸らせるように移動可能な排出若しくは逸らせ機構又はシュー又は同様のものを有する搬送面を含んでいてよい。
【００４１】
角度付けられたコンベヤ区分２１４は、角度付けられたコンベヤ区分２１４において物品を収容するために一方の端部２１４ａが搬送経路２１２に対して角度を成しながら位置決めされている。角度付けられたコンベヤ区分２１４の反対側の端部２１４ｂは、本発明の範囲に影響することなく、別の運搬面又は排出ステーション又は同様のもの（図示せず）と当接又は整合してよい。
【００４２】
角度付けられたコンベヤ区分２１４のローラ２２２は、被駆動ローラ又は電動式ローラ２２４及び複数のアイドラローラ２２６を有している。本発明の範囲に影響することなく、ローラのシャフトは、側壁２１６，２１８に設けられた孔又は開口（図示せず）内に及び／又は角度付けられたフレーム２２０の取付け部分２２０ａにおいて取り付けられているか、又はあらゆるその他の取付け手段を介して側壁２１６，２１８及び／又は取付け部分２２０ａに取り付けられていてよい。ローラ２２２は、ローラの軸線が概して側壁２１６，２１８に対して及び角度付けられたコンベヤ区分２１４の運搬方向に対して概して直角に向けられるように、側壁２１６及び側壁２１８又は角度付けられたフレーム２２０に取り付けられている。
【００４３】
アイドラローラ２２６は、多数の種々異なる長さのローラ２２６ａ，２２６ｂ，２２６ｃ，２２６ｄ，２２６ｅ，２２６ｆ，２２６ｇを有しており、これらのローラは、第１の側壁２１６と、角度付けられたフレーム２２０又は側壁２１８の対応する取付け部分２２０ａとの間に取り付けられている。種々異なる長さのローラ２２６ａ〜ｇは、角度付けられたコンベヤ区分２１４に沿って短い順に配置されており、最短のローラ２２６ａが、角度付けられたコンベヤ区分２１４の一方の端部に向かって位置決めされており、次に短いローラ２２６ｂが最短のローラ２２６ａに隣接して配置され、他のローラも同様である。したがって、種々異なる長さのローラ２２６ａ〜ｇは組み合わさって、角度付けられたフレーム２２０に沿って、角度付けられた運搬面を形成する。１つの狭いローラ又はホイール２２８が、角度付けられたフレーム２２０と第１の側壁２１６との接合部に又はこの接合部の近傍に設けられており、この領域に運搬面又は支持部を提供している。角度付けられたコンベヤ区分２１４の所望の長さに応じて、概して電動式ローラ２２４と同じ長さの１つ又は２つ以上のアイドラローラ２２３は、側壁２１６，２１８の間に取り付けられていてよい（２つのアイドラローラ２２３は、図８〜図１２の例示された実施形態においてこの形式で取り付けられて示されている）。
【００４４】
角度付けられたフレーム２２０は、側壁２１６，２１８の端部２１６ａ，２１８ａの間に角度を成して延びており、角度付けられたフレームに沿って間隔を置いて配置された複数のローラ取付け部分又はブラケット又はシャフト支持部２２０ａを有している。シャフト支持部２２０ａは、幾つかのアイドラローラ２２６のシャフト端部を収容するために角度付けられたフレーム２２０から上方へ延びており、１つのコンベヤから別のコンベヤへの物品の運搬を妨害しないように概して搬送経路２１２及び角度付けられたコンベヤ区分２１４の運搬面の下方に位置決めされている。角度付けられたフレーム２２０及びシャフト支持部２２０ａは、上部支持プレート又は支持面２２０ｂを有していてよく、上部支持プレート又は支持面２２０ｂは、さもなければ開放している各ローラ２２６及びホイール２２８の端部における概して三角形の領域において支持を提供するためのローラ２２６ａ〜ｆの端部及びホイール２２８に位置決めされていてよい。このことは、以下に説明するように角度付けられたコンベヤ区分２１４′に関して図１３に示されている。
【００４５】
角度付けられたコンベヤ区分２１４はさらに、複数のベルトストリップ又はテープストリップ２３０ａ〜ｇを有しており、これらのベルトストリップ又はテープストリップは、角度付けられた運搬区分２１４に沿って、ベルト式運搬面を規定するためにローラ２２２の周囲に経路付けられている又は巻き掛けられている。各ベルトストリップ２３０は、他のベルトストリップ２３０とは異なる長さを有していてよく、図８に示したように、他のベルトストリップ２３０とは異なるローラのセットの周囲に経路付けられているか又は巻き掛けられていてよい。例えば、最長のベルトストリップ２３０ａは、被駆動ローラ２２４及び最短のアイドラローラ２２６ａの周囲に経路付けられている又は巻き掛けられているのに対し、第２の最長のベルトストリップ２３０ｂは、被駆動ローラ２２４及び次に短いアイドラローラ２２６ｂの周囲に経路付けられている又は巻き掛けられている。ベルトストリップは、電動式ローラと個々の端部ローラとの周囲に巻き掛けられており、少なくとも幾つかのベルトストリップは、アイドラローラ及び／又は、電動式ローラと個々の端部ローラとの間に位置決めされた別の種々異なる長さのローラによって支持されている。
【００４６】
ベルト１８に関して上述したように、ベルトストリップ２３０は、低弾性ベルト材料を含んでいてよい。ベルトストリップ２３０は、長さ方向で少なくとも約１．５％以上の伸長の伸長能力又は特性を有していてよい（また、約３％〜５％以上の伸長の伸長能力又は特性を有していてよい。ベルトストリップ２３０は、ローラに巻き掛けられる場合に初期的に伸長させられてよく、ベルトストリップは、ローラの周囲に位置決めされる場合に長さ方向で約０．７５％以上の初期伸長を有し、約１％又は１．５％以上の初期伸長を有するように初期的に伸長させられてよい。低弾性ベルトストリップ２３０は、ウレタン押出し成形品又はポリエステル又はナイロンテンション部材が包含されたウレタンから形成されてるか、又はゴム材料又は同様のものから形成されているか、又はグラフィックアート及び郵便物仕分けにおいて使用するためのNitta Corporation から商業的に利用可能なベルトのタイプと同様であってよい。
【００４７】
例示された実施形態において、被駆動ローラ２２４は、角度付けられたコンベヤ区分２１４の端部２１４ｂに位置決めされている。したがって、被駆動ローラ２２４は、角度付けられたコンベヤ区分の排出端部に位置決めされており、ベルトストリップ２３０を介して上流のローラを駆動するために働く。しかしながら、本発明の範囲に影響することなく、被駆動ローラは、角度付けられたコンベヤ区分に沿った他の箇所に位置決めされてよく、角度付けられたフレーム部分２２０に沿って取り付けられたより短いローラの１つであってよい。
【００４８】
被駆動ローラ２２４は、ローラのシャフト部分に対してローラのローラ部分を回転させるために働くローラ内のモータを備えた電動式又は自己被駆動ローラ等の電動式ローラを含んでいてよい。例えば、前記電動式ローラ２０と同様に、被駆動又は電動式ローラ２２４は、電動式ローラ２０に関連して上述したように、様々なソースから商業的に利用可能なタイプのものであってよく、例えば、ＡＣ電動式ローラ又はＤＣ電動式ローラ、例えば１２ボルトＤＣ電動式ローラ、２４ボルトＤＣ電動式ローラ、４２ボルトＤＣ電動式ローラ、４８ボルトＤＣ電動式ローラ又は同様のものであってよい。電動式ローラ２２４は、テープストリップの移動又は駆動に応答してシャフト部分を中心に自由に回転するアイドラローラ２２３，２２６の周囲においてベルトストリップ又はテープストリップ２３０を駆動する。アイドラローラ２２３，２２６は、様々なソースから商業的に利用可能なタイプ等の、慣用の自由に回転するローラを含んでいてよい。
【００４９】
電動式ローラ２２４は、電動式ローラ２２４におけるベルトストリップ２３０を会合させかつ軌道規定するために、電動式ローラ２２４に沿って間隔を置いて配置された、バンド、クラウン又はクラウンを有するシェル又は同様のもの等の、軌道規定部材２３２を有していてもよい。同様に、各ローラ２２６ａ〜ｇは、ベルトストリップ２３０がその特定のローラ２２６ａ〜ｇの周囲で反転するところでローラに沿った位置において、バンド、クラウン又は同様のもの等の軌道規定部材２３２をも有していてよい（換言すれば、軌道規定部材は、個々のベルトストリップのための端部ローラ又は反転ローラを規定するそれぞれの特定のローラに位置決めされていてよい）。例えば、ローラ２２６ａは、ベルトストリップ２３０ａのための軌道規定部材２３２を有しており、ローラ２２６ｂは、ベルトストリップ２３０ｂのための軌道規定部材２３２を有しており、他のローラも同様である。軌道規定部材又はストリップ又はクラウン２３２は、ローラに沿った他の箇所においては必要ない。なぜならば、ローラの他の部分はベルトのための支持を提供するが、ローラの周囲においてベルトの軌道を規定するための軌道規定手段を必要としないからである。
【００５０】
作動中、電動式ローラ２２４は回転するように駆動され、このことは、連続的なベルトストリップ２３０の移動、ひいては搬送経路２１２から排出された物品を運搬するためのアイドラローラ２２６の回転を付与する。ローラ２２２及びベルトストリップ２３０は、物品を角度付けられたコンベヤ区分２１４に沿って搬送経路２１２から離れるように運搬するための概して連続的な運搬経路を規定する。したがって、角度付けられたコンベヤ区分２１４は、電動式又は被駆動排出ローラコンベヤ区分を提供し、角度付けられた導入又は排出コンベヤ区分のローラの間に物品が落下するのを実質的に排除する。角度付けられたコンベヤ区分２１４は、被駆動又は電動式ローラを有しているので、本発明の角度付けられたコンベヤ区分が、主コンベヤ又は搬送経路への導入運搬区分を含んでいてよく、物品を導入ステーション又はコンベヤから搬送又は仕分けシステムのキャリッジ又は運搬面へ運搬及び導入するために働いてよいことが考えられる。
【００５１】
今や図１２を参照すると、角度付けられたコンベヤ区分２１４′は、複数の種々異なる長さのローラ２２６′と、種々異なる長さのローラ２２６′の特定のセットの周囲に巻き掛けられた複数のベルトストリップ２３０とを有している。角度付けられたコンベヤ区分２１４′は、前記角度付けられたコンベヤ区分２１４と実質的に同様であり、角度付けられたコンベヤ区分の詳細な説明はここでは繰り返されない。図８〜図１１の角度付けられたコンベヤ区分２１４の参照符号は、図１２における角度付けられたコンベヤ区分２１４′の同様の又は共通の部材に割り当てられている。
【００５２】
角度付けられたコンベヤ区分２１４′は、関連する搬送又は運搬経路（図１２には示されていない）に対して排出（又は導入）の種々異なる角度を提供し、角度付けられたコンベヤ区分２１４′の向き合った側壁（図１２には示されていない）の端部の間に位置決めされた前記角度付けられたコンベヤ区分２１４の角度付けられたフレーム２２０よりも長い角度付けられたフレーム２２０′を有している。したがって、ベルトストリップ２３０は、種々異なる長さのローラ２２６′の周囲に経路付けられているか又は巻き掛けられており、これにより、種々異なる長さのローラ２２６′の幾つかが、対応するベルトストリップのための反転ローラ又は端部ローラを規定しない。このような配列は、（図８〜図１１の前記角度付けられたコンベヤ区分２１４の場合のように）それぞれの種々異なる長さのローラが、対応するベルトストリップのための端部ローラ又は反転ローラとして機能するならば適しているよりも広いベルトストリップを提供してよい。ベルトストリップは、電動式ローラ及び個々の端部ローラの周囲に巻き掛けられており、ベルトストリップの少なくとの幾つかは、電動式ローラと個々の端部ローラとの間に位置決めされたアイドラローラ及び／又はその他の種々異なる長さのローラによって支持されている。
【００５３】
したがって、本発明の角度付けられたコンベヤ区分は、主運搬経路に対して当接又は係合するための角度を成して、実質的に連続的な、ベルトを有する運搬面を提供する。角度付けられたコンベヤ区分は電動式ローラを有しており、この電動式ローラは、コンベヤ区分の電動式ローラと種々異なる長さのローラとに巻き掛けられた複数の種々異なる長さのベルトストリップを介して、角度付けられたコンベヤ区分の種々異なる長さのローラを駆動するために働く。したがって、本発明の角度付けられたコンベヤ区分は、仕分け又は搬送システムの搬送経路又は運搬経路の排出部において物品を運搬するために働くか、又は仕分け又は搬送システムの搬送経路又は運搬経路に物品を運搬及び導入するために働いてよい。したがって、本発明の角度付けられたコンベヤ区分は、角度付けられた係合面又は縁部とベルトを整合させるために、角度付けられた区分の下方におけるベルトの特別な経路付を必要としない、電動式又は被駆動又は電動式ローラ及びベルト運搬面を提供する。ベルトストリップは、物品がベルトストリップに沿って移動させられる場合に物品の支持を提供するために電動式ローラと個々の端部ローラとの間に位置決めされた他の種々異なる長さのローラのうちの幾つかによって支持されている。
【００５４】
具体的に記載された実施形態における変更及び修正は、本発明の原理から逸脱することなく行われてよく、本発明の原理は、特許法の原理に従って解釈されるように、添付の請求項の範囲によってのみ限定されることが意図されている。
【図面の簡単な説明】
【００５５】
【図１】本発明によるセグメント化又はゾーン化されたベルトコンベヤの一部の平面図である。
【００５６】
【図２】図１のベルトコンベヤの部分の側面図である。
【００５７】
【図３】本発明と共に使用可能な軌道規定ローラの側面図である。
【００５８】
【図４】本発明によるベルトコンベヤの斜視図である。
【００５９】
【図５】図４のベルトコンベヤの平面図である。
【００６０】
【図６】本発明による別のベルトコンベヤの側面図である。
【００６１】
【図７】本発明による別のベルトコンベヤの側面図である。
【００６２】
【図８】仕分けシステムの搬送経路又はコンベヤに位置決めされた、本発明による角度付けられたベルトストリップローラコンベヤ区分の平面図である。
【００６３】
【図９】図８の角度付けられたベルトストリップローラコンベヤ区分の側面図である。
【００６４】
【図１０】図８及び図９の角度付けられたベルトストリップローラコンベヤ区分の正面図である。
【００６５】
【図１１】図８に示されたＸＩ−ＸＩ線に沿って見た、角度付けられたベルトストリップローラコンベヤ区分の断面図である。
【００６６】
【図１２】本発明による別の角度付けられたベルトストリップローラコンベヤ区分の斜視図である。
【符号の説明】
【００６７】
１０，１１０  ベルトコンベヤ若しくはベルトアキュムレータ、  １２，１１２  ゾーン又はセグメント、  １４，１１４  側壁若しくはサイドフレーム、  １６，１１６  ローラ、  １８，１１８  ベルト、  ２０，１２０  電動式ローラ、  ２２，１２２  アイドラローラ、  ２２ａ  端部アイドラローラ、  ２２ｂ  突出部、  １２４  製品センサ、  １２６  制御装置、  １２６ａ  モータ制御装置、  ２１０  仕分け及び／又は運搬システム、  ２１２  主コンベヤ又は搬送経路、  ２１４  排出コンベヤ区分、  ２１４ａ，２１４ｂ  端部、  ２１６  第１の側壁、  ２１８  第２の側壁、  ２１８ａ  端部、  ２２０  フレーム部分、  ２２０ａ  取付け部分、  ２２０ｂ  上部支持プレート又は支持面、  ２２２  ローラ、  ２２３  アイドラローラ、  ２２４  電動式ローラ、  ２２６  アイドラローラ、  ２２８  ホイール、  ２３０  ベルトストリップ又はテープストリップ、  ２３２  軌道規定部材
【図１】
2005517608.tif 000003
【図２】
2005517608.tif 000004
【図３】
2005517608.tif 000005
【図４】
2005517608.tif 000006
【図５】
2005517608.tif 000007
【図６】
2005517608.tif 000008
【図７】
2005517608.tif 000009
【図８】
2005517608.tif 000010
【図９】
2005517608.tif 000011
【図１０】
2005517608.tif 000012
【図１１】
2005517608.tif 000013
【図１２】
2005517608.tif 000014
【手続補正書】
【提出日】平成16年8月11日(2004.8.11)
【手続補正１】
【補正対象書類名】特許請求の範囲
【補正対象項目名】全文
【補正方法】変更
【補正の内容】
【特許請求の範囲】
【請求項１】
向き合った側壁を有するベルトコンベヤにおいて、
前記向き合った側壁に沿って該側壁の間に位置決めされた電動式ローラ及び少なくとも１つの他のローラが設けられており、
前記電動式ローラ及び前記少なくとも１つの他のローラの周囲に巻き掛けられた連続的なベルトが設けられており、前記電動式ローラが、前記ベルトコンベヤに沿って物品を移動させるために前記ベルトを駆動するために働き、前記ベルトが低い弾性特性を有しており、前記ベルトが、前記ローラの周囲に巻き掛けられた場合に最初に前記ベルトの長さ方向で少なくとも０．７５％だけ伸長させられることを特徴とする、ベルトコンベヤ。
【請求項２】
前記ベルトが、前記ローラの周囲に巻き掛けられた場合に最初に前記ベルトの長さ方向で少なくとも１％だけ伸長させられる、請求項１記載のベルトコンベヤ。
【請求項３】
前記ベルトが、前記ローラの周囲に巻き掛けられた場合に最初に前記ベルトの長さ方向で少なくとも１．５％だけ伸長させられる、請求項１記載のベルトコンベヤ。
【請求項４】
前記ベルトの前記低弾性特性が、前記ベルトに少なくとも２％の伸長を提供する、請求項１記載のベルトコンベヤ。
【請求項５】
前記ベルトの低弾性特性が、前記ベルトに少なくとも４％の伸長を提供する、請求項１記載のベルトコンベヤ。
【請求項６】
前記ベルトが、実質的に前記側壁の間の間隔に亘って延びている、請求項１記載のベルトコンベヤ。
【請求項７】
前記ベルトが、前記電動式ローラ及び前記少なくとも１つの他のローラに巻き掛けられた複数のベルトストリップを含む、請求項１記載のベルトコンベヤ。
【請求項８】
前記複数のベルトストリップが、前記電動式ローラ及び個々の端部ローラの周囲に巻き掛けられており、前記個々の端部ローラが、角度付けられた運搬区分を規定するために配置された複数の種々異なる長さのローラのそれぞれを含んでいる、請求項７記載のベルトコンベヤ。
【請求項９】
前記複数のベルトストリップの少なくとも幾つかが、前記複数のベルトストリップの前記少なくとも幾つかの、前記電動式ローラと前記個々の端部ローラとの間に位置決めされた前記種々異なる長さのローラの少なくとも別の１つによって支持されている、請求項８記載のベルトコンベヤ。
【請求項１０】
前記ベルト上の物品を検出するために働く物品センサが設けられている、請求項１記載のベルトコンベヤ。
【請求項１１】
前記物品センサに応答して前記電動式ローラを制御するために働く制御装置が設けられている、請求項１０記載のベルトコンベヤ。
【請求項１２】
前記コンベヤが、前記ベルト上に物品を蓄積するために働く、請求項１記載のベルトコンベヤ。
【請求項１３】
前記ベルトコンベヤが、傾斜部又は下降部に位置決めされている、請求項１記載のベルトコンベヤ。
【請求項１４】
前記ベルトコンベヤが、傾斜部又は下降部の前記１つに物品を蓄積するために働く、請求項１３記載のベルトコンベヤ。
【請求項１５】
前記電動式ローラが、ＡＣモータ、１２ボルトＤＣモータ、２４ボルトＤＣモータ、４２ボルトＤＣモータ、又は４８ボルトＤＣモータのうちの１つを含む、請求項１記載のベルトコンベヤ。
【請求項１６】
前記電動式ローラが、２４ボルトＤＣモータを含む、請求項１記載のベルトコンベヤ。
【請求項１７】
前記電動式ローラが、４２ボルトＤＣモータ又は４８ボルトＤＣモータのうちの１つを含む、請求項１記載のベルトコンベヤ。
【請求項１８】
前記電動式ローラ又は前記少なくとも１つの他のローラのうちの少なくとも１つが、前記ベルトの軌道を規定するための少なくとも１つのクラウンを有する、請求項１記載のベルトコンベヤ。
【請求項１９】
２つのローラの間において前記連続的なベルトを支持するために、前記電動式ローラと前記少なくとも１つの他のローラとの２つの間に少なくとも１つのスライダプレートが設けられている、請求項１記載のベルトコンベヤ。
【請求項２０】
前記連続的なベルトを支持する、間隔を置いて配置された複数の支持ローラが設けられている、請求項１記載のベルトコンベヤ。
【請求項２１】
ベルトアキュムレータにおいて、
向き合った側壁が設けられており、
少なくとも２つの直列ゾーンが設けられており、該少なくとも２つの直列ゾーンのそれぞれに、
前記向き合った側壁において該側壁の間に回転可能に取り付けられた電動式ローラ及び少なくとも１つの他のローラが設けられており、
前記電動式ローラ及び前記少なくとも１つの他のローラの周囲に巻き掛けられた連続的なベルトが設けられており、それぞれの前記直列ゾーンの前記連続的なベルトが低弾性特性を有し、前記ベルトが、前記ローラに巻き掛けられた場合に最初に前記ベルトの長さ方向で少なくとも０．７５％だけ伸長させられ、
前記ゾーンにおける物品を検出するために働く少なくとも１つの物品センサが設けられており、
少なくとも１つの制御装置が設けられており、該少なくとも１つの制御装置が、個々のゾーンに沿って物品を運搬するために前記ベルトを駆動するために、少なくとも１つの前記ゾーンの前記電動式ローラを制御するために働き、前記少なくとも１つの制御装置が、前記ベルトアキュムレータの前記ゾーンにおいて物品の蓄積を提供するために、前記物品センサに応答して前記電動式ローラを選択的に制御するために働くことを特徴とする、ベルトアキュムレータ。
【請求項２２】
前記少なくとも１つの制御装置が、１つ又は２つ以上の前記少なくとも２つの直列ゾーンにおける物品の蓄積を提供するために、それぞれの前記少なくとも２つの直列ゾーンの前記電動式ローラを、他の直列ゾーンの他の電動式ローラから独立して制御するために働く、請求項２１記載のベルトアキュムレータ。
【請求項２３】
前記ベルトが、前記ローラの周囲に巻き掛けられる場合に最初に前記ベルトの長さ方向で少なくとも１％だけ伸長させられる、請求項２１記載のベルトアキュムレータ。
【請求項２４】
前記ベルトが、前記ローラの周囲に巻き掛けられる場合に最初に前記ベルトの長さ方向で少なくとも１．５％だけ伸長させられる、請求項２１記載のベルトアキュムレータ。
【請求項２５】
前記ベルトの前記低弾性特性が、前記ベルトに少なくとも２％の伸長特性を提供する、請求項２１記載のベルトアキュムレータ。
【請求項２６】
前記ベルトの前記低弾性特性が、前記ベルトに少なくとも４％の伸長特性を提供する、請求項２１記載のベルトアキュムレータ。
【請求項２７】
前記ベルトアキュムレータが、傾斜部又は下降部のうちの１つに位置決めされている、請求項２１記載のベルトアキュムレータ。
【請求項２８】
前記ベルトアキュムレータが、傾斜部又は下降部のうちの前記１つにおいて物品を蓄積するために働く、請求項２７記載のベルトアキュムレータ。
【請求項２９】
それぞれの前記少なくとも２つのゾーンの前記電動式ローラが、ＡＣモータ、１２ボルトＤＣモータ、２４ボルトＤＣモータ、４２ボルトＤＣモータ又は４８ボルトＤＣモータのうちの１つを含む、請求項２１記載のベルトアキュムレータ。
【請求項３０】
それぞれの前記少なくとも２つのゾーンの前記電動式ローラが、２４ボルトＤＣモータを含む、請求項２１記載のベルトアキュムレータ。
【請求項３１】
それぞれの前記少なくとも２つのゾーンの前記電動式ローラが、４２ボルトＤＣモータ又は４８ボルトＤＣモータのうちの１つを含む、請求項２１記載のベルトアキュムレータ。
【請求項３２】
前記電動式ローラ又は前記少なくとも１つの他のローラのうちの少なくとも１つが、前記ベルトの軌道を規定するための少なくとも１つのクラウンを有する、請求項２１記載のベルトアキュムレータ。
【請求項３３】
それぞれの前記ゾーンが、２つのローラの間において個々のゾーンの前記連続的なベルトを支持するために、前記電動式ローラと前記少なくとも１つの他のローラとの２つの間に少なくとも１つのスライダプレートを有する、請求項２１記載のベルトアキュムレータ。
【請求項３４】
それぞれの前記ゾーンが、前記連続的なベルトを支持する、間隔を置いて配置された複数の支持ローラを有する、請求項２１記載のベルトアキュムレータ。
【請求項３５】
前記ベルトが、実質的に前記側壁の間の間隔に亘って延びた幅を有する、請求項２１記載のベルトアキュムレータ。
【請求項３６】
搬送経路から排出された物品を搬送経路から離れる方向に運搬するために、主搬送経路に沿って位置決めされるように構成された、角度付けられたコンベヤ区分において、該角度付けられたコンベヤ区分が、搬送経路に対して所定の角度を成して位置決め可能であり、前記角度付けられたコンベヤ区分に、
向き合った側壁と、搬送経路の側部に隣接して位置決めするために前記角度付けられたコンベヤの角度付けられた係合縁部を規定する角度付けられたフレーム部分とが設けられており、
電動式ローラ及び複数の他のローラを含む複数のローラが設けられており、前記ローラの少なくとも幾つかが、他のローラとは異なる長さを有し、前記種々異なる長さのローラが、前記角度付けられたフレーム部分と、前記側壁の一方とに取り付けられておりかつ、角度付けられたローラ運搬面を規定するために前記角度付けられたコンベヤに沿って、短い順に配置されており、
複数のベルトストリップが設けられており、該ベルトストリップの少なくとも幾つかが、他のベルトストリップとは異なる長さを有しかつ、前記電動式ローラ及び個々の端部ローラに巻き掛けられており、前記個々の端部ローラが、前記種々異なる長さのローラのうちの異なる１つを含み、前記ベルトストリップ及び前記ローラが、搬送経路に隣接して位置決め可能な角度付けられた係合縁部を備えた、前記角度付けられたコンベヤ区分に沿った、ベルトを有する運搬面を規定していることを特徴とする、角度付けられたコンベヤ区分。
【請求項３７】
前記ベルトストリップが、低弾性ベルトストリップ材料から成る、請求項３６記載の角度付けられたコンベヤ区分。
【請求項３８】
前記ベルトストリップが、前記ローラの周囲に巻き掛けられる場合に最初に前記ベルトストリップの長さ方向で少なくとも０．７５％だけ伸長させられる、請求項３７記載の角度付けられたコンベヤ区分。
【請求項３９】
前記ベルトストリップが、前記ローラの周囲に巻き掛けられる場合に最初に前記ベルトストリップの長さ方向で少なくとも１％だけ伸長させられる、請求項３７記載の角度付けられたコンベヤ区分。
【請求項４０】
前記ベルトストリップが、前記ローラの周囲に巻き掛けられる場合に最初に前記ベルトストリップの長さ方向で少なくとも１．５％だけ伸長させられる、請求項３７記載の角度付けられたコンベヤ区分。
【請求項４１】
前記ベルトストリップの前記低弾性ベルト材料が、前記ベルトストリップに少なくとも２％の伸長特性を提供する、請求項３７記載の角度付けられたコンベヤ区分。
【請求項４２】
前記ベルトストリップの前記低弾性ベルト材料が、前記ベルトストリップに少なくとも４％の伸長特性を提供する、請求項３７記載の角度付けられたコンベヤ区分。
【請求項４３】
前記ベルトストリップは、前記ローラによって可動に支持されている、請求項３６記載の角度付けられたコンベヤ区分。
【請求項４４】
前記ベルトストリップの少なくとも幾つかが、少なくとも幾つかの前記ベルトストリップの前記電動式ローラと前記個々の端部ローラとの間に位置決めされた前記種々異なる長さのローラのうちの少なくとも１つによって支持されている、請求項３６記載の角度付けられたコンベヤ区分。
【請求項４５】
前記電動式ローラが、前記角度付けられたフレーム部分とは反対側の、前記角度付けられたコンベヤ区分の端部に位置決めされている、請求項３６記載の角度付けられたコンベヤ区分。
【請求項４６】
前記電動式ローラが、該電動式ローラ上で前記複数のベルトストリップの軌道を規定するために働く複数の軌道規定装置を有する、請求項３６記載の角度付けられたコンベヤ区分。
【請求項４７】
前記種々異なる長さのローラの少なくとも幾つかが、前記種々異なる長さのローラ上でのそれぞれの前記複数のベルトストリップの軌道を規定するために働く、対応する軌道規定装置を有する、請求項４６記載の角度付けられたコンベヤ区分。
【請求項４８】
前記軌道規定装置が、個々のローラの周囲に設けられたストリップ又はクラウンのうちの少なくとも１つを含む、請求項４７記載の角度付けられたコンベヤ区分。
【請求項４９】
前記電動式ローラが、前記搬送経路から排出された物品を受け取りかつ排出された物品を前記搬送経路から離れる方向に搬送するために前記ベルトストリップを駆動するために働く、請求項３６記載の角度付けられたコンベヤ区分。
【請求項５０】
前記電動式ローラが、物品を前記搬送経路に向かって搬送しかつ物品を前記搬送経路に導入するために前記ベルトストリップを駆動するために働く、請求項３６記載の角度付けられたコンベヤ区分。
【請求項５１】
前記電動式ローラが、ＡＣモータ、１２ボルトＤＣモータ、２４ボルトＤＣモータ、４２ボルトＤＣモータ又は４８ボルトＤＣモータのうちの１つを含む、請求項３６記載の角度付けられたコンベヤ区分。
【請求項５２】
前記電動式ローラが２４ボルトＤＣモータを含む、請求項３６記載の角度付けられたコンベヤ区分。
【請求項５３】
前記導電式ローラが、４２ボルトＤＣモータ又は４８ボルトＤＣモータのうちの１つを含む、請求項３６記載の角度付けられたコンベヤ区分。
【請求項５４】
前記種々異なる長さのローラが、該種々異なる長さのローラの整列した端部が前記側壁のうちの１つに取り付けられておりかつ該側壁に沿って整列させられてかつ前記種々異なる長さのローラの反対側の端部が前記角度付けられたフレーム部分に取り付けられながら、配置されている、請求項３６記載の角度付けられたコンベヤ区分。
【国際調査報告】
2005517608.tif 000015